(57)【要約】【課題】記録媒体を吸引しつつ搬送する場合に、インクの着弾精度を向上させることができる記録装置および記録方法を提供すること。【解決手段】画像の記録開始時における連続紙１０３の先端と、連続紙１０３における画像の記録開始位置と、の間の先端長さが所定の長さＬ以上となるように、連続紙１０３の切断時期および画像の記録開始位置のうちの少なくとも一方を設定する。【選択図】図１０
2015093421.tif 000002
【特許請求の範囲】
【請求項１】
記録媒体を吸引しつつ搬送する搬送手段と、
前記搬送手段によって搬送される前記記録媒体に対してインクを吐出することにより、前記記録媒体に画像を記録する記録手段と、
前記記録手段によって画像が記録された前記記録媒体の記録済み部分を切断する切断手段と、
を備え、
前記記録手段による画像の記録開始時における前記記録媒体の先端と、前記記録媒体における前記画像の記録開始位置と、の間の先端長さが所定の長さ以上となるように、前記切断手段による前記記録媒体の切断時期および前記画像の前記記録開始位置のうちの少なくとも一方を設定することを特徴とする記録装置。
【請求項２】
前記搬送手段は、第１の方向および前記第１の方向とは逆の第２の方向に前記記録媒体を搬送可能であり、
前記記録手段は、前記搬送手段によって前記第１の方向に搬送される前記記録媒体に対して、先に第１の画像を記録してから第２の画像を記録可能であり、
前記記録媒体に前記第１の画像を記録してから前記第２の画像を記録するまでの間において前記記録媒体が前記第２の方向に搬送される場合に、前記切断手段は、前記第２の画像の記録開始時における前記記録媒体の先端と、前記記録媒体における前記第２の画像の記録開始位置と、の間の先端長さが所定の長さ以上となるように前記記録媒体を切断することを特徴とする請求項１に記載の記録装置。
【請求項３】
前記切断手段は、前記第１の画像と前記第２の画像との間における前記記録媒体の切断位置と、前記記録媒体における前記第２の画像の記録開始位置と、の間の先端長さが前記所定の長さ以上のときは、前記第２の画像の記録開始前に前記記録媒体を前記切断位置において切断し、前記先端長さが前記所定の長さ未満のときは、前記第２の画像の記録開始後に前記記録媒体を前記切断位置において切断することを特徴とする請求項２に記載の記録装置。
【請求項４】
前記記録手段は、前記搬送手段によって搬送される前記記録媒体に対して、先に第１の画像を記録してから第２の画像を記録し、
前記切断手段は、前記第２の画像の記録開始時における前記記録媒体の先端と、前記記録媒体における前記第２の画像の記録開始位置と、の間の先端長さが所定の長さ以上となるように、前記第１の画像と前記第２の画像との間の切断位置をずらすことを特徴とする請求項１に記載の記録装置。
【請求項５】
前記記録手段は、前記記録媒体に画像を記録するために記録データに基づいてインクを吐出し、
前記記録データに基づいて、前記記録媒体における前記画像の記録開始位置を求めることを特徴とする請求項１から４のいずれかに記載の記録装置。
【請求項６】
前記記録手段は、前記搬送手段による前記記録媒体の搬送方向にずれて位置する複数の吐出部からインクを吐出することによって画像を記録し、
前記複数の吐出部毎の前記記録媒体における前記画像の記録開始位置と、前記複数の吐出部毎の前記所定の長さと、を用い、前記複数の吐出部毎の先端長さのそれぞれが、それらに対応する前記複数の吐出部毎の前記所定の長さの以上となるように、前記切断手段による前記記録媒体の切断時期および前記画像の前記記録開始位置のうちの少なくとも一方を設定することを特徴とする請求項１に記載の記録装置。
【請求項７】
前記搬送手段は、前記記録媒体を吸引するための空気の吸引孔を備えることを特徴とする請求項１から６のいずれかに記載の記録装置。
【請求項８】
前記搬送手段は、前記吸引孔が複数形成された搬送ベルトを含むことを特徴とする請求項７に記載の記録装置。
【請求項９】
前記所定の長さは、前記記録手段の近傍における空気流の発生を抑制するために、前記記録媒体による前記吸引孔の閉鎖に必要な前記先端長さとして設定されることを特徴とする請求項７または８に記載の記録装置。
【請求項１０】
記録媒体を吸引しつつ搬送する搬送工程と、
前記搬送工程によって搬送される前記記録媒体に対してインクを吐出することにより、前記記録媒体に画像を記録する記録工程と、
前記記録工程によって画像が記録された前記記録媒体の記録済み部分を切断する切断工程と、
を含み、
画像の記録開始時における前記記録媒体の先端と、前記記録媒体における前記画像の記録開始位置と、の間の先端長さが所定の長さ以上となるように、前記記録媒体の切断時期および前記画像の前記記録開始位置のうちの少なくとも一方を設定することを特徴とする記録方法。
【発明の詳細な説明】
【技術分野】
【０００１】
本発明は、記録媒体の切断機能を備えた記録装置および記録方法に関するものである。
【背景技術】
【０００２】
一般に、切断機能を備えた記録装置においては、記録媒体として連続紙などの連続シートが用いられ、このような記録媒体に画像を記録した後に、その記録媒体をカッターによって切断する構成となっている。このような記録装置としては、記録媒体を記録台（プラテン）上に吸着させて、その記録媒体を平坦に支持する所謂吸着方式を採用したものが多い。このような吸着方式を採用することにより、画像が記録される記録媒体の記録面の平面性を確保して、高品位の画像を記録することができる。
【０００３】
特許文献１には、このような吸着方式の記録装置として、複数の吸引孔が形成された記録台を記録媒体の搬送経路に沿って備えたインクジェット記録装置が記載されている。その記録台に形成された複数の吸引孔を介して、記録台上の空気をファンによって吸引することにより、記録台上に記録媒体を吸着させることができる。記録媒体は、記録台上に吸着されつつ搬送経路に沿って搬送される。
【先行技術文献】
【特許文献】
【０００４】
【特許文献１】特開２００１−２３９７１２号公報
【発明の概要】
【発明が解決しようとする課題】
【０００５】
記録媒体の先端部近傍に画像を記録する場合、記録媒体の先端部よりも後方（記録媒体の搬送方向の上流側）に位置する吸引孔は、記録媒体と対向するため、記録媒体を吸着して塞がれる。しかし、記録媒体の先端部よりも前方（記録媒体の搬送方向の下流側）に位置する吸引孔は、記録媒体と対向しないため開放されたままとなる。このように解放されたままの吸引孔からは、記録台上の空気が吸引されるため、記録台上に空気の流れが生じることになる。
【０００６】
特許文献１に記載されているようなインクジェット記録装置は、記録ヘッドから記録媒体の記録面に向かってインクを吐出する。このような記録装置においては、解放されたままの吸着によって生じる記録台上の空気流に影響によって、記録ヘッドから吐出されたインクの着弾精度の低下、ひいては画像の記録品位の低下を招くおそれがある。
【０００７】
本発明の目的は、記録媒体を吸引しつつ搬送する場合に、インクの着弾精度を向上させることができる記録装置および記録方法を提供することにある。
【課題を解決するための手段】
【０００８】
本発明の記録装置は、記録媒体を吸引しつつ搬送する搬送手段と、前記搬送手段によって搬送される前記記録媒体に対してインクを吐出することにより、前記記録媒体に画像を記録する記録手段と、前記記録手段によって画像が記録された前記記録媒体の記録済み部分を切断する切断手段と、を備え、前記記録手段による画像の記録開始時における前記記録媒体の先端と、前記記録媒体における前記画像の記録開始位置と、の間の先端長さが所定の長さ以上となるように、前記切断手段による前記記録媒体の切断時期および前記画像の前記記録開始位置のうちの少なくとも一方を設定することを特徴とする。
【発明の効果】
【０００９】
本発明によれば、記録媒体を吸引しつつ搬送する場合に、記録媒体の先端と、記録媒体における画像の記録開始位置と、の間の先端長さを充分に確保することにより、インクの着弾精度を向上させることができ、高品位の画像を記録することができる。
【図面の簡単な説明】
【００１０】
【図１】本発明の第１の実施形態の記録装置を含む記録システムの概略構成図である。
【図２】図１の記録装置の制御系部のブロック図である。
【図３】図１の記録装置における記録コマンドの説明図である。
【図４】図１の記録装置における記録動作の説明図である。
【図５】図１の記録装置における記録および切断動作を説明するためのフローチャートである。
【図６】図１の記録装置における記録および切断動作を説明するためのフローチャートである。
【図７】図１の記録装置における記録の一時停止動作を説明するためのフローチャートである。
【図８】連続紙において設定されるサイズおよび位置の説明図である。
【図９】搬送ベルトにおける吸引孔と連続紙との関係の説明図である。
【図１０】図１の記録装置における画像の記録位置の説明図である。
【図１１】図１の記録装置における記録開始位置の決定処理を説明するためのフローチャートである。
【図１２】本発明の第２の実施形態の記録装置を含む記録システムの概略構成図である。
【図１３】図１２の記録装置における一時停止前の切断回数の算出処理を説明するためのフローチャートである。
【図１４】図１２の記録装置のイメージメモリに展開される画像データの説明図である。
【図１５】図１２の記録装置における連続紙の切断時期の説明図である。
【図１６】図１２の記録装置における記録開始位置の決定処理を説明するためのフローチャートである。
【発明を実施するための形態】
【００１１】
以下、図面を参照して本発明の実施形態について説明する。  
（第１の実施形態）
図１は、本実施形態における記録装置１００と、ホストコンピュータ（ホスト装置）１０１と、を接続した記録システムの説明図である。記録装置１００は、プリンタケーブル１０２によって、情報処理装置としてのホストコンピュータ１０１に接続される。ホストコンピュータ１０１は、プリンタケーブル１０２を介して、画像データ、記録媒体の切断位置、および記録媒体に関する情報などを制御コマンドとして記録装置１００に出力する。
【００１２】
ロール状に巻かれた記録媒体としての連続紙１０３は、後述するように、搬送および画像の記録がなされた後に切断される。連続紙１０３の搬送手段である搬送ユニット１０４には、搬送モータ１０５、搬送ベルト１０６、および吸着ファン１０７が備えられている。搬送ベルト１０６は、ガイドローラ１０８Ａ、１０８Ｂ、１０８Ｃ、および駆動ローラ１０８Ｄの間に架け渡されている。搬送モータ１０５によって駆動ローラ１０８Ｄが回転されることにより、連続紙１０３を支持する搬送ベルト１０６が矢印Ａ１方向もしくは逆の矢印Ａ２方向に移動される。吸着ファン１０７が回転することにより、搬送ベルト１０６に複数形成された吸引孔（不図示）から空気が吸引されて、搬送ユニット１０４の排気口１０９から排出される。搬送ベルト１０６は、吸引孔からの空気の吸引によって、搬送ベルト１０６の表面に連続紙１０３を吸着しつつ、その連続紙１０３を矢印Ａ１方向（第１の方向）および矢印Ａ２方向（第２の方向）に搬送可能である。
【００１３】
記録部（記録手段）１１０には、連続紙１０３に画像を記録可能なインクジェット方式の記録ヘッドが着脱可能に搭載されている。記録ヘッドは、電気熱変換素子（ヒータ）やピエゾ素子などの吐出エネルギー発生素子を用いて、インクを吐出することができる。電気熱変換素子を用いた場合には、その発熱によりインクを発泡させ、その発泡エネルギーを利用して記録ヘッドに形成されたノズルの先端の吐出口からインクを吐出することができる。記録ヘッドにおける複数のノズルは、連続紙１０３の搬送方向と交差（本実施形態の場合、直交）する方向に延在するノズル列を少なくとも１列以上形成するように、配列されている。本実施形態における記録ヘッドは、フルラインタイプのインクジェット記録ヘッドであり、連続紙１０３の記録領域の幅に相当する長さのノズル列が形成されている。
【００１４】
記録装置１００には、記録タイミングを得るために連続紙の先端を検知する先端検知センサ１１１、および連続紙の切断タイミングを得るために連続紙の先端を検知する先端検知センサ１１２が備えられている。連続紙１０３が所定の単位領域毎に記録されて切断される用紙であって、その単位領域の検出が可能なマークが付された用紙である場合には、そのマークを用いて、単位領域の先端を検出することができる。先端検知センサ１１１，１１２は、反射型センサ、透過型センサのいずれかまたは双方を備えた構成となっている。例えば、連続紙１０３がラベル紙の場合は、台紙と、その台紙に貼付けられたラベルと、の透過率の差によって、単位領域としてのラベルの先端を検出することができる。検出マーク付きの用紙の場合は、用紙とマークとの光の反射率の差によって、単位領域としてのページの先端を検出することができる。
【００１５】
ガイドローラ１０８Ａの回転軸には、その回転軸に同期して回転する不図示のエンコーダが備えられており、それは、連続紙１０３の搬送位置を検出するための検出手段として機能する。搬送ユニット１０４による連続紙１０３の搬送、記録部１１０による記録タイミング、および後述する切断部１１３による切断タイミングは、そのエンコーダの検出信号に基づいて後述するＣＰＵにより管理される。
【００１６】
終端検知センサ１１４は、記録部１１０よりも矢印Ａ２方向における上流側に備えられており、画像の記録およびそれに伴う制御により連続紙１０３が搬送させる間に、周期的に連続紙１０３の有無をチェックする。終端検知センサ１１４により連続紙１０３の終端が検知された場合、後述するＣＰＵによって記録動作が制御される。
【００１７】
切断部（切断手段）１１３としてのカッターは、回転刃１１３Ａ、固定刃１１３Ｂ、およびストッパー１１３Ｃを備え、ストッパー１１３Ｃは、不図示のソレノイドによって解除（図中上方向に移動）される。このストッパー１１３Ｃの解除によって、回転刃１１３Ａが矢印Ｂ方向に回転し、回転刃１１３Ａと固定刃１１３Ｂとによって連続紙１０３が切断される。連続紙１０３は、搬送ユニット１０４によって矢印Ａ１方向へ搬送される際に、連続紙１０３上の切断位置（不図示）が固定刃１１３Ｂに達するタイミングで切断される。切断部１１３による連続紙１０３の切断時期は、後述するように、連続紙１０３の先端長さに応じて設定される。
【００１８】
図２は、本実施形態に係る記録装置１００の制御ハードウェアの構成例を示すブロック図である。記録装置１００の制御部２００は、中央処理装置（ＣＰＵ）２０１を備え、不揮発性メモリ（ＲＯＭ）２０２に格納されている制御プログラムを実行することにより、記録装置１００の各構成要素を制御する。また、制御部２００は、各種データ処理のワークエリアや受信バッファとして使用されるメモリ（ＲＡＭ）２０３、および画像展開部としてのイメージメモリ２０４を備える。メモリ２０３は、搬送ユニット１０４が連続紙の搬送中である否かを識別するための搬送中フラグ、記録の一時停止要求フラグ、記録開始枚数Ｎａ、記録停止枚数Ｎｂ、切断実行回数Ｎｃ，Ｎｃ１、Ｎｃ２等を格納する。これらのフラグは、記録装置１００の電源投入時に初期化される。また、記録の一時停止要求フラグは、ユーザー或いは記録装置の状態によってＯＮ／ＯＦＦされるフラグであり、ＣＰＵ２０１により、記録ジョブの受信直後から全ての記録ジョブが終了するまで周期的にチェックされている。
【００１９】
制御部２００の制御回路２１０には、記録ヘッド１１０Ａを駆動する駆動回路２０５、モータドライバ２０７、およびセンサ２０８等を備えている。モータドライバ２０７は、記録ヘッドのクリーニング動作、記録動作、および切断動作を制御する各種モータ２０６のドライバである。センサ２０８は、記録装置における各種動作の制御、および連続紙の検知等のために用いられるセンサである。制御部２００は、ＵＳＢ２０９を通してホストコンピュータ（ホスト装置）１０１に接続されている。
【００２０】
図３は、各記録コマンドを可視化して示した図である。以下、本実施形態のホストコンピュータ１０１からプリンタケーブル１０２を介して記録装置１００に送信される記録コマンドについて説明する。記録コマンドには、記録媒体のサイズ等を通知する記録媒体設定コマンド３０１、記録領域等を指定するフォーマットコマンド３０２、および記録画像の画像データを通知するデータコマンド３０３がある。さらに記録コマンドには、連続紙に対する切断の有無と切断位置を指定するカット指定コマンド３０４、モード選択のためのモード指定コマンド３０５、記録ジョブの終了を示すジョブ開始コマンド３０６がある。後述する記録領域先端位置、記録領域後端位置、切断位置、画像先端位置（記録開始位置）に関する制御は、記録媒体設定コマンド３０１の記録媒体縦サイズ３０７、フォーマットコマンド３０２、カット指定コマンド３０４の切断間隔３０８に基づいて行われる。切断間隔３０８を１以上に設定すると、切断部１１３は、カット指定コマンド３０４により連続紙１０３を切断する。切断間隔３０８は、切断が行われる間隔を示し、切断間隔３０８を１に設定した場合には、記録媒体縦サイズ（単位領域）毎に連続紙が切断される。例えば、記録枚数３０９が複数枚指定され、かつ切断間隔３０８を２以上の複数に設定した場合には、その切断間隔３０８として設定された数と、記録媒体縦サイズと、を積算した領域毎に、連続紙が切断される。
【００２１】
例えば、記録枚数３０９が２枚以上で所謂コピー記録が行われる場合において、切断間隔３０８が２、記録媒体縦サイズ３０７が４０ｍｍに設定された場合を想定する。この場合に、連続紙１０３のカット長Ｌ１は、切断間隔の２と記録媒体縦サイズの４０ｍｍとの積の８０ｍｍ（＝２×４０ｍｍ）となる。よって、連続紙１０３は８０ｍｍ毎に切断される。また、記録枚数に関わらず、切断間隔が１のときは、カット長Ｌ１は４０ｍｍ（１×４０ｍｍ）に設定され、連続紙１０３は、記録媒体縦サイズ（単位領域）の４０ｍｍ毎に切断される。
【００２２】
描画色コマンド３１０には描画色数が格納されており、その描画色数に応じて、イメージデータコマンド３１１には１個以上のデータが格納される。描画色がＫ（ブラック）のみの場合には、１個のイメージデータが格納され、また描画色がＫ（ブラック）、Ｃ（シアン）、Ｍ（マゼンタ）、Ｙ（イエロー）の場合には、４個のイメージデータが順に格納される。
【００２３】
図４は、記録装置１００の記録動作、切断動作、および一時停止動作の説明図、図５よび図６は、記録装置１００の記録動作および切断動作を説明するためのフローチャート、図７は、一時停止動作を説明するためのフローチャートである。以下、記録動作、切断動作、および一時停止動作について説明する。
【００２４】
記録動作時は、図４（ａ）のように、連続紙１０３が矢印Ａ１方向に連続的に搬送されつつ、記録部１１０からインクが付与されることにより、連続紙１０３上に１ページＰ１，２ページＰ２，・・・の画像１１５（１），１１５（２），・・・が記録される。
【００２５】
記録装置１００は、まず、図５のステップＳ１にて、ホストコンピュータ１０１から記録コマンドを受信したか否かを確認する。記録コマンドを受信しているときは、その記録コマンドの記録枚数３０９および切断間隔３０８（図３参照）から、記録枚数Ｎと切断枚数ｎを取得する（ステップＳ２）。以下の例においては、記録枚数Ｎと切断枚数ｎが共に３の場合について説明する。
【００２６】
その後、記録媒体縦サイズ３０７、フォーマットコマンド３０２の開始縦座標、画像縦領域、余白縦サイズから、連続紙１０３上における記録領域先端位置、記録領域後端位置、切断位置、画像先端位置（記録開始位置）を算出する（ステップＳ３）。連続紙１０３にページ単位（所定領域単位）で画像が記録される場合、記録領域先端位置は、各ページの先端を原点としたページ毎の開始縦座標の位置となる。記録領域後端位置は、ページ毎の記録領域先端位置から画像縦領域を加算した座標位置となる。また、画像先端位置（記録開始位置）は、記録領域先端位置から余白縦サイズを加算した座標位置である。
【００２７】
連続紙１０３がラベル紙であって、記録枚数Ｎと切断枚数ｎが共に３であるとき場合には、図８のように、ラベルＤ１，Ｄ２，Ｄ３毎に３つの切断位置（Ｃ１，Ｃ２，Ｃ３）が設定される。１番目の切断位置（Ｃ１）は、１番目の切断位置（Ｃ１）よりも１つ前の連続紙１０３における切断位置から、カット長Ｌ１ずれた位置である。同様に、２番目の切断位置（Ｃ２）は、１番目の切断位置（Ｃ１）からカット長Ｌ１ずれた位置となり、３番目の切断位置（Ｃ３）は、２番目の切断位置（Ｃ２）からカット長Ｌ１ずれた位置となる。隣接する切断位置（Ｃ１，Ｃ２，Ｃ３）の間の縦サイズを記録媒体縦サイズ３０７とした場合、切断間隔は１となる。Ｐ１−１，Ｐ２−１，Ｐ３−１は、Ｄ１，Ｄ２，Ｄ３に対する画像１１５（１），１１５（２），１１５（３）の記録領域先端位置である。Ｐ１−２，Ｐ２−２，Ｐ３−２は、それぞれ対応する記録領域先端位置Ｐ１−１，Ｐ２−１，Ｐ３−１から余白縦サイズ分ずれた画像先端位置である。Ｐ１−３，Ｐ２−３，Ｐ３−３は各ラベルの記録領域後端位置であり、それらと、それらに対応する記録領域先端位置Ｐ１−１，Ｐ２−１，Ｐ３−１と、の間の領域が画像縦領域である。
【００２８】
一方、図４のように、連続紙１０３にページ単位の画像を連続的に記録する場合には、記録領域先端位置Ｐ１−１，Ｐ２−１，Ｐ３−１が各ページの先端位置となる。そして、ラベルＤ１，Ｄ２，Ｄ３の記録画像１１５（１），１１５（２），１１５（３）が１ページ目、２ページ目、および３ページ目の記録画像となる。
【００２９】
このような記録領域先端位置、記録領域後端位置、切断位置、画像先端位置（記録開始位置）を図５のステップＳ３において算出した後、次のステップＳ４において、連続紙１０３が搬送中であるか否かを確認する。連続紙１０３が搬送中でない場合（搬送フラグがＯＦＦの場合）は、記録領域先端位置を決定する（ステップＳ５）。具体的には、後述するように、連続紙１０３を現在の位置から記録領域先端位置までスキップさせるスキップ長Ｌｓを算出する。その後、ステップＳ６において、吸着ファン１０７の吸着力によって連続紙１０３の記録面と反対の面を搬送ベルト１０６に吸着させたまま、搬送ベルト１０６によって連続紙１０３の矢印Ａ１方向（図４）の搬送を開始する。その後、搬送中フラグをＯＮにする（ステップＳ７）。連続紙１０３がラベル紙の場合、その連続紙１０３は、ラベルの先端が先端検知センサ１１１の下を通過して検知された後、ガイドローラ１０８Ａの回転軸に同期して回転する不図示のエンコーダによってラベル紙の搬送位置が検出される。
【００３０】
その後のステップＳ８において、記録の一時停止要求フラグがＯＮであるか否かを判定する。一時停止要求フラグは、記録動作を一時的に停止する際に記録装置或いはユーザーによってＯＮにされるフラグである。記録動作が一時的に停止される要因としては、記録ヘッドのインクの吐出状態を良好に維持するための回復処理、および記録装置のメンテナンス等がある。この一時停止要求フラグがＯＦＦであるときは、記録開始枚数Ｎｓが記録枚数Ｎ未満であるか否かを判定する（ステップＳ１０）。記録開始枚数Ｎｓが記録枚数Ｎ未満である場合には、画像先端位置が記録部１１０に到達して画像の記録を開始したときに（ステップＳ１１，Ｓ１２）、記録開始枚数Ｎｓに１を加算する（ステップＳ１３）。このように記録開始枚数Ｎｓには、記録部１１０がインクを吐出して画像の記録動作を開始する毎、つまり１ページ（１枚のラベル）の記録を開始する毎に１が加算される。
【００３１】
先のステップＳ８において、１ページ（１枚のラベル）の記録中、もしくは１ページ（１枚のラベル）の記録停止直後に一時停止要求フラグがＯＮになった場合には、ステップＳ９に移行して図７の記録の一時停止動作を実行する。
【００３２】
図７の記録の一時停止動作においては、まず、一時停止前の切断回数Ｎｃ１を算出する（ステップＳ３１）。切断回数Ｎｃ１は、一時停止前に記録される連続紙１０３に対する未切断位置の数の内、一時停止後に記録するページ（ラベル）の画像先端位置から搬送方向の下流側に向かう所定の長さＬ（図９（ａ）参照）の範囲の外に位置する未切断位置の数に対応する。後述するように、長さＬの範囲外に位置する未切断位置については、記録の一時停止前に切断し、その長さＬの範囲内に位置する未切断位置については、記録の一時停止前には切断しない。
【００３３】
所定の長さＬは、記録部１１０におけるインクの吐出位置（吐出口の位置）と、搬送ベルト１０６における吸引孔６０１の位置と、の関係から設定される。図９（ａ）のように、記録部１１０の吐出位置から搬送方向下流側の所定範囲内の吸引孔６０１が連続紙１０３によって塞がれていない場合には、吸引孔６０１から吸引される空気によって生じる矢印Ｅ方向の気流がインクの着弾精度に影響を及ぼすおそれがある。このようなインクの着弾精度の影響を回避するために、記録部１１０の吐出位置から搬送方向下流側において、閉塞する必要がある連続紙１０３の先端長さを所定の長さＬとしている。本例における長さＬは、記録部１１０におけるインクの吐出位置と、搬送ベルト１０６の吸引孔６０１が搬送方向の最下流側に移動したときの位置と、の間の距離である。
【００３４】
次のステップＳ３２では、記録開始枚数Ｎｓが記録停止枚数Ｎｅより多いか否かを判定する。この記録停止枚数Ｎｅは、後述するように、記録部１１０によって記録領域後端位置まで画像が記録されて、１ページ（１枚のラベル）の記録が終了する毎に１が加算される。したがって、記録開始枚数Ｎｓが記録停止枚数Ｎｅよりも多い場合（Ｎｓ＞Ｎｅ）の場合には、記録動作中であると確認できる。記録動作中であるときは、連続紙１０３の記録領域後端位置が記録部１１０による記録位置に達するまで待ってから（ステップＳ３３）、記録を一時停止させて（ステップＳ３４）、記録停止枚数Ｎｅに１を加算する（ステップＳ３５）。
【００３５】
ステップＳ３５にて記録停止枚数Ｎｅに１を加算した後、および先のステップＳ３２において記録動作中でないと判定した後は、ステップＳ３６に移行して、切断回数Ｎｃ１が記録の一時停止前の切断実行回数Ｎｃ２よりも多いか否かを判定する。切断実行回数Ｎｃ２は、図７の記録の一時停止動作において実行される切断の回数であり、後述するように切断を実行する毎に１が加算される。また、この切断実行回数Ｎｃ２は、図７の記録の一時停止動作の実行開始時点において０に初期化されるものとする。切断回数Ｎｃ１が切断実行回数Ｎｃ２よりも多い場合（Ｎｃ１＞Ｎｃ２）、つまり未切断の切断位置が存在する場合には、切断位置が切断部１１３に到達したときに、その切断位置を切断する（ステップＳ３７，Ｓ３８）。その後、ステップＳ３９にて切断実行回数Ｎｃ２に１を加算してから、ステップＳ３６に戻る。
【００３６】
先のステップＳ３６において、切断実行回数Ｎｃ２が切断回数Ｎｃ１に達したと判定された場合には、ステップＳ４０に移行して、後述する記録開始時からの合計の切断実行回数Ｎｃに、図７の記録の一時停止動作において実行される切断実行回数Ｎｃ２を加算する。その後、連続紙１０３を矢印Ａ２方向にフィードバックさせる（ステップＳ４１）。そして、次に記録すべき画像の記録領域先端位置が後述する記録待機位置Ｐ４に到達したときに、連続紙１０３の搬送を停止させて（ステップＳ４２，Ｓ４３）、搬送中フラグをＯＦＦにする（ステップＳ４４）。その後、記録の一時停止要求フラグがＯＦＦを待ってから（ステップＳ４５）、図５のステップＳ４に戻る。
【００３７】
記録待機位置Ｐ４は、図４（ｃ）のように、用紙先端検知センサ１１１から矢印Ａ１の搬送方向の上流側に所定距離Ｌｐは離れた位置である。所定距離Ｌｐは、記録待機位置Ｐ４から連続紙１０３の矢印Ａ１方向の搬送を開始して、その連続紙１０３が用紙先端検知センサ１１１の位置に搬送されるまでに、連続紙１０３の搬送速度が安定するために最低限必要な距離以上の距離である。つまり、この所定距離Ｌｐ内において、停止状態の搬送モータ１０５が所定の搬送速度に達し、かつ、搬送モータ１０５の回転、および搬送ベルト１０６と連続紙１０３の速度が安定することになる。
【００３８】
先のステップＳ３６から、ステップＳ３７，Ｓ３８，Ｓ３９を経ずにステップＳ４０に移行した場合には、切断処理（ステップＳ３８）を行うことなく、バックフィードを開始（ステップＳ４１）することになる。
【００３９】
図４（ｂ）は、２ページＰ２の画像１１５（２）の記録中または２ページＰ２の記録停止直後に、記録の一時停止要求フラグがＯＮになった場合の説明図である。本例の場合、長さＬ（図９（ａ）参照）の範囲外には未切断位置がなく、一時停止前の切断回数Ｎｃ１＝０であるため、一時停止前には２ページＰ２は切断しない。その後、画像１１５（２）の記録が終了してから、図４（ｃ）のように、３ページＰ３の画像１１５（３）の先端側の画像先端位置が記録待機位置Ｐ４までバックフィードされる。
【００４０】
その後、図７の一時停止動作におけるステップＳ４５において、記録の一時停止要求フラグがＯＮとなるまで待機し、その時停止要求フラグがＯＮになってから、図４（ｄ）のように、３ページＰ３の画像１１５（３）の記録を開始する。すなわち、前述した図５のステップＳ４からステップＳ７の処理を実行した後、記録の一時停止要求フラグがＯＦＦであることを確認してから（ステップＳ８）、ステップＳ１０からステップＳ１２の処理を実行する。つまり、３ページＰ３の画像１１５（３）の画像先端位置が記録部１１０に到達してから、その画像１１５（３）の記録を開始する。その後、前述したように、ステップＳ１３において記録開始枚数Ｎｓに１を加算する。
【００４１】
図９（ｂ）は、このような図４（ｂ），（ｃ），（ｄ）において２ページＰ２，３ページＰ３に記録される画像１１５（２），１１５（３）をラベル紙の２枚目のラベルＤ２，３枚目のラベルＤ３に記録した場合の説明図である。上述したように、長さＬの範囲内に位置する切断位置は切断しないため、３枚目のラベルＤ３の画像を１１５（３）記録するときには、少なくとも長さＬの範囲内に位置する搬送ベルト１０６の吸引孔６０１は連続紙１０３によって塞がれる。したがって、画像１１５（３）を記録するときには、インクの着弾位置に影響を及ぼす矢印Ｅ方向の気流（図９（ａ））は生じない。図９（ａ）のような気流が生じた場合には、インクの着弾位置がずれて、同図に示すように画像１１５（３）の特に矢印Ａ１方向の先端部分に乱れが生じるおそれがある。
【００４２】
再び、図５のフローチャートの説明に戻る。
【００４３】
ステップＳ１０において記録開始枚数Ｎｓが記録枚数Ｎ以上だったとき、ステップＳ１１において画像先端位置が記録部１１０に到達していないとき、あるいはステップＳ１３において記録開始枚数Ｎｓに１を加算した後は、図６のステップＳ１４に移行する。ステップＳ１４においては、記録停止枚数Ｎｅが記録枚数Ｎに達したか否かを判定する。Ｎｅ＜Ｎのときは、ステップＳ１５において記録領域後端位置が記録部１１０に到達したか否かを判定し、それが到達したときには記録を停止して（ステップＳ１６）、記録停止枚数Ｎｅに１を加算する（ステップＳ１７）。
【００４４】
ステップＳ１４にて記録停止枚数Ｎｅが記録枚数Ｎに達したと判定された場合、ステップＳ１５にて記録領域後端位置が記録部に到達していないと判定された場合、あるいはステップＳ１７にて記録停止枚数Ｎｅに１を加算した後は、ステップＳ１８に移行する。ステップＳ１８においては、切断実行回数Ｎｃが切断回数ｎに達したか否かを判定し、Ｎｃ＜ｎの場合には、ステップＳ１９において、連続紙１０３の切断箇所が切断部１１３に到達したか否かを判定する。連続紙１０３の切断箇所が切断部１１３に到達していれば、その切断箇所を切断し（ステップＳ２０）、切断実行回数Ｎｃに１を加算する（ステップＳ２１）。図４（ｄ）は、切断実行回数Ｎｃが切断回数ｎに達していない場合に、連続紙１０３の２ページ枚Ｐ２の後端側の切断箇所が切断部１１３に到達して、その切断箇所が切断されている状態を示す。
【００４５】
ステップＳ１８にて切断実行回数Ｎｃが切断回数ｎに達したと判定された場合、あるいはステップＳ２１にて切断実行回数Ｎｃに１を加算した後は、ステップＳ２２に移行する。ステップＳ２２においては、記録開始枚数Ｎｓ＝記録停止枚数Ｎｅ＝記録枚数Ｎであり、かつ切断実行回数Ｎｃ＝切断回数ｎであるか否かを判定する。Ｎｓ＝Ｎｅ＝ＮかつＮｃ＝ｎのときには、連続紙１０３のバックフィードを開始する（ステップＳ２３）。そして、次に記録すべき画像の記録領域先端位置が後述する記録待機位置Ｐ４に到達したときに、バックフィードを停止し（ステップＳ２４，Ｓ２５）、搬送中フラグをＯＦＦにして（ステップＳ２６）、一連の処理を終了する。
【００４６】
図１０は、記録の一時停止前の切断、および記録の一時停止後における記録の開始処理の説明図である。前述したように、記録の一時停止前には、次に記録する画像の先端位置から搬送方向下流側に向かう所定の長さＬ（図１０（ａ））の範囲（切断不可領域）の連続紙１０３は切断しない。
【００４７】
図１０（ｂ）は、１ページＰ１の画像１１５（１）を記録した後、２ページＰ２の画像１１５（２）の記録中に図７の一時停止動作を実施して、その画像１１５（２）の記録の終了を待って記録の一時停止をした場合の説明図である。この場合、その一時停止後に記録する３ページＰ３のラベルＤ３の画像１１５（３）の画像先端位置（記録開始位置）Ｐ２−３から搬送方向下流側の長さＬの範囲内に、切断位置Ｃ２が位置する。したがって、その切断位置Ｃ２は切断しない。その切断位置Ｃ２は、画像１１５（２）の記録開始前には切断されず、その記録開始後に切断されることになる。切断位置Ｃ１は、その長さＬの範囲の外に位置するため、記録の一時停止前、つまり画像１１５（２）の記録開始前に切断することができる。このように、画像先端位置Ｐ２−３を基準にして長さＬの範囲を設定することにより、その範囲内に、切断位置Ｃ１と記録領域先端位置Ｐ１−３との間の余白部分、および記録領域先端位置Ｐ３−１と画像先端位置Ｐ３−２との間の余白部分が含まれることになる。つまり、それらの余白部分だけ、長さＬの範囲が搬送方向の上流側にずれるように設定される。これにより、長さＬの範囲、つまり記録の一時停止前に連続紙１０３の切断を規制する範囲を最適に設定し、記録済みの１ページＰ１に関しては、その切断位置Ｃ１の切断を遅らせることなく実施することができる。このように、長さＬの範囲を最適に設定することにより、記録済みのページに関しての切断の遅れを最小限に抑えることができる。
【００４８】
記録の一時停止後に記録を開始する際には、その一時停止前に最後に切断した切断位置から搬送方向上流側に長さＬ以上ずれた位置において、次の画像の記録を開始するために、必要に応じて連続紙１０３をスキップさせる。このように、連続紙１０３を現在の位置から次の画像の記録領域先端位置までスキップさせるスキップ長Ｌｓは、前述したように図５のステップＳ５において算出する。
【００４９】
図１１は、このような記録開始位置の決定処理を説明するためのフローチャートである。
【００５０】
まず、ステップＳ５１において、記録の一時停止直後か否かを判定する。記録の一時停止直後であるときには、図１１の記録開始位置の決定処理を終了して、図５のステップＳ６に移行する。ステップＳ５１において記録の一時停止直後でないと判定された場合には、ステップＳ５２において、最後に切断を行った連続紙１０３の切断位置から次に記録すべき本来の画像の画像先端位置（記録開始位置）までの距離Ｌ３と、前述した長さＬと、を比較する。例えば、図１０（ｃ）のように、ラベルＤ１の画像１１５（１）を記録してからラベルＤ２の画像１１５（２）を記録する場合には、連続紙１０３の最後の切断位置から、ラベルＤ２の画像１１５（２）の画像を画像先端位置Ｐ２−２までの間の距離がＬ３となる。図１０（ｃ）とは異なってＬ３≧Ｌとなる場合には、連続紙１０３のスキップは不要であると判断して、図１１の記録開始位置の決定処理を終了する。この場合、次に記録される画像の先端位置は、次に記録すべき本来のラベルＤ２の画像１１５（２）の画像先端位置Ｐ２−２となる。
【００５１】
一方、図１０（ｃ）のように、Ｌ３＜Ｌの場合には、連続紙１０３がマークなし用紙であるか否かを判定する（ステップＳ５３）。マークなし用紙の場合には、スキップ長Ｌｓ＝Ｌ−Ｌ３とする（ステップＳ５４）。また、連続紙１０３がラベル紙のようなマーク付用紙の場合には、ステップＳ５７において、記録媒体縦サイズ（３０７）×記録開始枚数（Ｎｓ）が（Ｌ−Ｌ３）以上となるような最小のＮｓを算出する（Ｎｓは整数）。そして、その算出したＮｓと記録媒体縦サイズ（３０７）との積（記録媒体縦サイズ×Ｎｓ）をスキップ長Ｌｓとして設定する（ステップＳ５８）。
【００５２】
その後、ステップＳ５５において、次に記録する画像の画像先端位置（記録開始位置）として、元々の画像先端位置Ｐ２−２から搬送方向（矢印Ａ１方向）の上流側にスキップ長Ｌｓだけずれた位置（画像先端位置Ｐ３−２に対応する位置）を設定する。その後、このように設定された画像先端位置に基づいて、記録領域後端位置と切断位置を再設定する（ステップＳ５６）。
【００５３】
図１０（ｃ）のように、連続紙１０３がラベル紙、つまりマーク付用紙であって、Ｌ３＜Ｌの場合、（記録媒体縦サイズ×Ｎｓ）が（Ｌ−Ｌ３）以上となるような最小のＮｓは、１となる。すなわち、スキップ長Ｌｓは、（記録媒体縦サイズ×１）となり、次に記録を行う画像先端位置は、元々の画像先端位置Ｐ２−２をスキップ長Ｌｓだけずらした画像先端位置Ｐ３−２となる。ラベルＤ２には記録がされず、そのラベルＤ２に記録すべき画像１１５（２）がラベルＤ２に記録されることになる。このように、長さＬおよびＬ３を考慮してスキップ長Ｌｓを設定することにより、画像が記録されない連続紙１０３の部分を極力小さく抑えることができる。
【００５４】
以上のように、本実施形態においては、記録動作が一時的に停止される際に、次に記録する画像の画像先端位置から搬送方向下流側における長さＬの範囲内の切断位置では、連続紙を切断しない。その後、連続紙をバックフィードさせてから記録再開した際に、その切断位置にて連続紙を切断する。これによって、記録の一時停止後の記録再開時に、搬送ベルトの吸引孔を閉塞しないために生じる気流によるインクの着弾位置の乱れを抑制しながら、記録物の出力の遅れを最小限に抑えることができる。
【００５５】
また、連続紙の先端に所定の長さＬ以上の部分がない場合には、次に記録すべき画像の画像先端位置を連続紙の先端から搬送方向上流側に長さＬ以上ずらし、そのずらした画像先端位置から画像を記録する。これにより、記録開始時に、搬送ベルトの吸引孔が記録媒体によって閉塞されないことに起因する気流の発生を抑制することができる。また、画像が記録されない連続紙の部分の発生を極力抑えることもできる。
【００５６】
本実施形態における記録部１１０は、フルラインタイプのインクジェット記録ヘッドを用いる構成となっている。しかし、記録部１１０は、このようなフルラインライン方式ではなく、記録ヘッドの主走査方向の走査と、連続紙の副走査方向の搬送と、を伴って画像を記録するシリアルスキャン方式であってもよい。また、記録ヘッドにおけるノズル列は１列に限らず、複数のノズル列が平行に形成されていてもよい。さらに、画像の記録に用いるインクの色は、単色のみに限定されず複数色であってもよい。
【００５７】
（第２の実施形態）
図１２から図１６は、本発明の第２の実施形態の説明図である。本実施形態の基本的な構成は第１の実施形態と同様であるため、以下においては、本実施形態の特徴的な構成についてのみ説明する。
【００５８】
第１の実施形態の場合は、１列のノズル列を有する記録ヘッドを備えた記録装置において、記録部近傍に生じる空気流の影響による画質の低下を抑制しつつ、記録物の出力の遅延と記録媒体の使用効率の低下を抑制する。本実施形態は、複数列のノズル列を複数の吐出部として有する記録部を備えた記録装置において、記録データを解析して画像先端位置を求めることにより、さらに効果的に記録物の出力の遅延と記録媒体の使用効率の低下を抑制する。本実施形態において、一時停止前の切断回数Ｎｃ１の算出処理、および記録開始位置の決定処理以外は、第１の実施形態と同じであるため、それらの処理以外の説明は省略する。
【００５９】
図１２は、本実施形態を適用可能な記録装置５００の概略構成図である。本例の記録部１９０には、連続紙１０３の搬送方向と交差（本実施形態の場合は、直交）する方向に延在するノズル列が２列以上配列されている。記録部１９０は、フルラインタイプのインクジェット記録ヘッドであり、連続紙１０３の記録領域の幅に相当する長さの４つのノズル列Ｋ，Ｃ，Ｍ，Ｙが形成されている。ノズル列Ｋ，Ｃ，Ｍ，Ｙには、それぞれ、ブラックＫ，シアンＣ，マゼンタＭ，イエローＹのインクを吐出するためのノズルが配列されている。イメージメモリ２０４（図２参照）は、ノズル列Ｋ，Ｃ，Ｍ，Ｙ毎、すなわちインク色毎の格納領域を計４つ備える。
【００６０】
図１３は、本実施形態における、一時停止前の切断回数Ｎｃ１の算出処理を説明するためのフローチャートである。
【００６１】
この算出処理においては、まず、ステップ６１において、ノズル列Ｋ，Ｃ，Ｍ，Ｙ毎（吐出部毎）に、所定の長さＬｎ（ｎ＝Ｋ，Ｃ，Ｍ，Ｙ）を算出する。所定の長さＬは、前述したように、記録部１１０のインクの吐出位置から搬送方向下流側の範囲において、図９（ａ）の矢印Ｅのような気流の発生によってインクの着弾精度が影響されないように、閉塞する必要がある吸引孔６０１が位置する最小範囲に対応する。本例の場合は、それぞれのノズル列Ｋ，Ｃ，Ｍ，Ｙ毎のインクの吐出位置と、搬送部１０６において連続紙１０３を吸引する搬送方向最下流側の吸引孔６０１の位置と、の間の距離を所定の長さＬｎとする。したがって、ノズル列Ｋ，Ｃ，Ｍ，Ｙ毎の所定の長さＬｎは、それぞれ、図１４（ａ）のようにＬＫ、ＬＣ、ＬＭ、ＬＹとなる。
【００６２】
次に、ステップＳ６２において、ノズル列Ｋ，Ｃ，Ｍ，Ｙ毎に、次に画像を記録するページ（ラベル）における画像先端位置Ｐｎ（ｎ＝Ｋ，Ｃ，Ｍ，Ｙ）を求める。次に記録すべき画像が３ページＰ３の画像１１５（３）の場合、ノズル列Ｋ，Ｃ，Ｍ，Ｙ毎の画像先端位置ＰＫ，ＰＣ，ＰＭ，ＰＹは、例えば図１５のような位置となる。
【００６３】
本例においては、図１４（ｂ）,（ｃ）,（ｄ）,（ｅ）のようなイメージメモリ２０４に展開される画像データに基づいて、画像先端位置ＰＫ，ＰＣ，ＰＭ，ＰＹ算出する。以下、それらの算出方法について説明する。
【００６４】
図１５のように、次に記録すべき画像が３ページＰ３の画像１１５（３）の場合、画像１１５（３）においてノズル列Ｋ，Ｃ，Ｍ，Ｙによって記録される画像をＰ３−Ｋ，Ｐ３−Ｃ，Ｐ３−Ｍ，Ｐ３−Ｙとする。これらの画像データは、図１４（ｂ）,（ｃ）,（ｄ）,（ｅ）のようにイメージメモリ２０４に展開される。本例の場合、余白縦サイズは０に設定されているものとする。記録領域先端位置Ｐ３−１は、前述したように、３ページＰ３の先端を原点とした開始縦座標の位置である。図１４（ｄ）のノズル列Ｋ用の画像データは、３ページＰ３の記録領域に対応付けられるようにして、同図中左下隅の先頭アドレスＡ０から同図中右上隅のアドレス末尾Ａｅまで１画素ずつ展開される。矢印Ｆは、矢印Ａ１の搬送方向と直交する方向である。他のノズル列Ｃ，Ｍ，Ｙ用の画像データも同様にイメージメモリ２０４に展開される。
【００６５】
図１４（ｂ）のノズル列Ｋ用の画像データに対しては、画像Ｐ３−Ｋの画素が所定の検索方法にしたがって検索される。すなわち、まず、先頭アドレスアドレスＡ０から図１４（ｂ）中の左上隅のアドレスまで矢印Ｆ方向に順次１画素ずつ検索する。その後、先頭アドレスアドレスＡ０から同図中右に１つづれたアドレスから、同図中左上隅のアドレスから右に１つづれたアドレスまで矢印Ｆ方向に順次１画素ずつ検索する。その後、先頭アドレスアドレスＡ０から同図中右に２つづれたアドレスから、同図中左上隅のアドレスから右に２つづれたアドレスまで矢印Ｆ方向に順次１画素ずつ検索する。以降、同様の検索を継続し、画像Ｐ３−Ｋの画素Ｋ１を検索した時点で検索を終了し、その画素（ブラックインクの記録画素）Ｋ１のアドレスをＡ１とする。記録すべき３ページの画像１１５（３）において画像Ｐ３−Ｋが検索できなかった場合には、次に記録すべき４ページ目、５ページ目、・・・の画像の記録データからブラックインクの記録画素を検索する。受信済みの全てのノズル列Ｋ用の記録データを検索してもブラックインクの記録画素が検索できなかった場合には、受信済みのノズル列Ｋ用の記録データの最後のページのアドレス末尾をアドレスＡ１とする。同様に、他のシアン、マゼンタ、およびイエローインクの記録画素Ｃ１，Ｍ１，Ｙ１についてもアドレスＡ１を設定する。
【００６６】
次に、（Ａ１―Ａ０）÷ＬＡを求め、得られた商から小数点以下を切り捨てた値を画像先端位置Ｐｎ（ｎ＝Ｋ，Ｃ，Ｍ，Ｙ）とする。ＬＡは、画像横領域に対応する長さである。このようにして、ノズル列Ｋ，Ｃ，Ｍ，Ｙ毎の画像先端位置ＰＫ，ＰＣ，ＰＭ，ＰＹを算出する。それらの画像先端位置ＰＫ，ＰＣ，ＰＭ，ＰＹは、必ずしも同じページ内に存在するとは限らず、また、次に記録を行うページ以降のページに存在することもある。
【００６７】
再び、図１３の処理の説明に戻り、ステップＳ６３において、Ｐｎ−Ｌｎの位置が搬送方向において最下流となるノズル列を選出する。ノズル列ｎが複数し、かつ、いずれのノズル列ｎからもインクを吐出する場合には、画像先端位置Ｐｎから搬送方向下流側の所定の長さＬｎの範囲内における搬送ベルト１０６の吸引孔６０１（図９（ａ））を、連続紙１０３によって閉鎖する必要がある。本例においては、それぞれのノズル列ｎについて、閉鎖する必要がある吸引孔６０１の矢印Ａ１の搬送方向の下流側における位置を求め、それらの位置が最も搬送方向の下流側となるノズル列ｎを選出する。つまり、搬送方向の最も下流側の吸引孔６０１を閉塞させることが必要となるノズル列ｎを選出する。図１５の場合、そのノズル列ｎはノズル列Ｃとなる。
【００６８】
次に、前述した第１の実施形態における所定の長さＬとしてノズル列Ｃに関する所定の長さＬＣを用いて、一時停止前の切断回数Ｎｃ１を算出する。具体的には、図１５中における長さＬＣの範囲の外に位置する切断位置は、記録の一時停止前に切断するように一時停止前の切断回数Ｎｃ１を算出する。したがって、切断回数Ｎｃ１は１となり、一時停止前に切断位置Ｃ１が切断され、切断位置Ｃ２は一時停止後に切断される。
【００６９】
図１６は、本実施形態における記録開始位置の決定処理を説明するためのフローチャートである。記録開始位置の決定処理においては、前述した実施形態と同様に、連続紙１０３の先端から所定の長さＬ以上ずれた位置から記録を開始するために、必要に応じて連続紙１０３をスキップさせる。
【００７０】
まず、ステップＳ７１において、記録の一時停止直後か否かを判定する。記録の一時停止直後であるときには、図１６の処理を終了して、図５のステップＳ６に移行する。ステップＳ７１において記録の一時停止直後でないと判定された場合には、前述したように、ノズル列ｎ毎の所定の長さＬｎおよび画像先端位置Ｐｎを算出する（ステップＳ７２，Ｓ７３）。その後、前述したように、（Ｐｎ−Ｌｎ）が搬送方向の最下流側に位置するノズル列ｎを選出する（ステップＳ７４）。
【００７１】
次のステップＳ７５において、最後に切断した切断位置と次に記録すべき本来のページ（ラベル）の画像先端位置との間の距離Ｌ３（図１０（ｃ））と、前述した所定の長さＬｎと、を比較する。Ｌ３≧Ｌｎの場合には、スキップが不要なため、図１６の処理を終了する。この場合、次に記録される画像の先端位置は、次に記録すべき本来のページ（ラベル）の画像先端位置となる。一方、Ｌ３＜Ｌｎの場合には、連続紙１０３がマークなし用紙であるか否かを判定する（ステップＳ７６）。マークなし用紙の場合は、スキップ長Ｌｓ＝Ｌｎ―Ｌ３とする（ステップＳ７７）。また、連続紙１０３がラベル紙のようなマーク付用紙の場合には、ステップＳ７８において、記録媒体縦サイズ（３０７）×記録開始枚数（Ｎｓ）が（Ｌｎ−Ｌ３）以上となるような最小のＮｓを算出する（Ｎｓは整数）。そして、その算出したＮｓと記録媒体縦サイズ（３０７）との積（記録媒体縦サイズ×Ｎｓ）をスキップ長Ｌｓとして設定する（ステップＳ７９）。
【００７２】
その後、ステップＳ８０において、次に記録するページの画像先端位置（記録開始位置）として、次に記録すべき本来のページの画像先端位置からスキップ長Ｌｓだけ搬送方向上流側にずれた位置を再設定する。その後、このように設定された画像先端位置に基づいて、記録領域後端位置と切断位置を再設定する（ステップＳ８１）。このように画像先端位置を再設定することにより、スキップ長Ｎｓを最小限に抑えることができる。
【００７３】
このように、記録の一時停止時に、記録データを解析して画像先端位置（記録開始位置）を取得し、その画像先端位置から搬送方向下流側の所定の距離の範囲においては連続紙を切断しない。これにより、一時停止後の記録の再開時に、搬送ベルトの吸引孔を閉塞しないために生じる気流によるインクの着弾位置の乱れを抑制しながら、記録物の出力の遅れを最小限に抑えることができる。また、一時停止後の記録時以外の記録時には、搬送ベルトの吸引孔を連続紙によって閉塞してインクの着弾位置の乱れを抑制するように、必要に応じて連続紙をスキップさせる。これにより、記録開始時に、搬送ベルトの吸引孔を閉塞しないために生じる気流によるインクの着弾位置の乱れを抑制しながら、画像が記録されない連続紙の白紙部分の長さまたは枚数を節減することができる。
【００７４】
本実施形態においては、矢印Ａ１の搬送方向上流側から下流側に向かって、ブラック、シアン、マゼンタ、イエローインク用のノズル列Ｋ，Ｃ，Ｍ，Ｙの順に平行に並ぶように形成された記録ヘッドを用いている。しかし、ノズル列の組み合わせや配備数、およびインクの色の組み合わせは任意である。それらのノズル列の配列順序は、ノズル列Ｋ，Ｃ，Ｍ，Ｙの順以外であってもよい。また、画像先端位置を求める方法は前述した実施形態のみに特定されず、例えば、ホスト装置からのデータ受信時のラスタースキップ量に基づいて求めてもよい。
【００７５】
（他の実施形態）
連続紙は、ロール状のみに特定されず、例えば、蛇腹に折り曲げられた記録媒体、あるいは真直ぐな連続する記録媒体であってもよい。また、切断部１１３は、回転刃１１３Ａを用いる構成のみに特定されず、例えば、スライド式に連続紙を切断するカッターであってもよい。また、記録の一時停止は、ページの終端位置において記録を一時停止させる以外に、ページの途中にて記録を一時停止させてもよい。
【００７６】
また、搬送手段として搬送ユニット１０４は、連続する記録媒体を吸引しつつ搬送することができればよく、必ずしも記録媒体を搬送ベルト１０６に吸着させて搬送する構成のみに特定されない。例えば、記録媒体を搬送面に吸引したまま、その搬送面上において記録媒体を搬送させる構成であってもよい。
【００７７】
また、記録媒体の切断時期、および画像の記録開始位置の少なくとも一方を設定することにより、画像の記録開始時における記録媒体の先端と、記録媒体における画像の記録開始位置と、の間の先端長さを所定の長さ以上とすることができる。先端長さを所定の長さ以上とするために、記録媒体の切断時期と画像の記録開始位置の両方を設定してもよい。記録媒体の切断時期は、前述したように、記録の一時停止の前後のいずれかに設定することができる。
【符号の説明】
【００７８】
１００  記録装置
１０３  連続紙（記録媒体）
１０４  搬送ユニット（搬送手段）
１０６  搬送ベルト
１０９  排気口
１１０，１９０  記録部（記録手段）
１１３  切断部（切断手段）
【図１】
2015093421.tif 000003
【図２】
2015093421.tif 000004
【図３】
2015093421.tif 000005
【図４】
2015093421.tif 000006
【図５】
2015093421.tif 000007
【図６】
2015093421.tif 000008
【図７】
2015093421.tif 000009
【図８】
2015093421.tif 000010
【図１０】
2015093421.tif 000011
【図１１】
2015093421.tif 000012
【図１２】
2015093421.tif 000013
【図１３】
2015093421.tif 000014
【図１４】
2015093421.tif 000015
【図１５】
2015093421.tif 000016
【図１６】
2015093421.tif 000017
【図９】
2015093421.tif 000018